(57)【要約】      （修正有）【課題】複数の遊技機用の筐体を並べて載置する場合の省スペース化を図る事が可能な遊技機用筐体の提供。【解決手段】遊技機用の筐体は、遊技部を収容可能な箱体と、載置時に後方への転倒を防止する転倒防止部２０とを備える。箱体の後部１０３の外周寸法は、箱体の前部１０４の外周寸法よりも小さく、前部１０４の外周面１０５と後部１０３の外周面１０６との間に段差面１０７が形成されている。箱体の後部１０３の内周寸法は、箱体の前部１０４の内周寸法よりも小さく、前部１０４の内周面と後部１０３の内周面との間に段差面が形成されている。箱体の後部１０３の外周形状は、箱体の前部１０４の内周形状に対応している。二つの箱体を前後方向に重ねる場合に、前側の箱体の後端面１０２が後側の箱体の段差面に当接するまで、箱体の後部１０３を箱体の前方から箱体の前部１０４内部に内挿可能である。【選択図】図２
2017023259.tif 000002
【特許請求の範囲】
【請求項１】
遊技を行う遊技部を収容する遊技機用の筐体において、
前方が開放され、前記遊技部を収容可能な箱体を備え、
二つの前記箱体を前後方向に並べた場合に、前側の前記箱体の後部が後側の前記箱体の前部から前記箱体の内部に内挿可能に構成されていること
を特徴とする遊技機用の筐体。
【請求項２】
請求項１に記載の遊技機用の筐体において、
前記箱体の後部の外周形状が、前記箱体の前部の内周形状に対応するよう構成されていること
を特徴とする遊技機用の筐体。
【請求項３】
請求項１または請求項２に記載の遊技機用の筐体において、
載置時に後方への転倒を防止する転倒防止部を備えること
を特徴とする遊技機用の筐体。
【請求項４】
請求項３に記載の遊技機用の筐体において、
前記転倒防止部は、前記箱体に対して着脱可能に構成されていること
を特徴とする遊技機用の筐体。
【請求項５】
請求項３または請求項４に記載の遊技機用の筐体において、
前記転倒防止部は、載置時に後方への転倒を防止する位置と前記箱体の内部に収容される位置との間でその姿勢を変更可能に構成されていること
を特徴とする遊技機用の筐体。
【請求項６】
請求項３〜請求項５の何れか１項に記載の遊技機用の筐体において、
二つの前記箱体を前後方向に並べた場合に、前側の前記箱体の後部が後側の前記箱体の前部から後側の前記箱体の内部に内挿された際に、前側の筐体１が備える前記転倒防止部を後側の前記箱体にて内包可能な受入部を備えること
を特徴とする遊技機用の筐体。
【発明の詳細な説明】
【技術分野】
【０００１】
本発明は、遊技機用の筐体に関する。
【背景技術】
【０００２】
遊技機用の筐体は、例えば特許文献１に記載のように、前方が開放された箱状に構成され、回転リール部などの遊技を行う遊技部を収容可能となっていることが一般的である。
【先行技術文献】
【特許文献】
【０００３】
【特許文献１】特開２００２−６５９４５号公報
【発明の概要】
【発明が解決しようとする課題】
【０００４】
しかし、上述のような遊技機用の筐体は、回転リール部などの遊技を行う遊技部を収容可能であることから大型であるため、遊技部を収納する前の筐体を床や作業台、運搬車両の荷台などに載置する場合には広いスペースを必要とする。特に、複数の筐体を並べて載置する場合には、筐体の個数分のスペースが必要となっていた。
【０００５】
本発明は、このような課題に鑑みなされたものであり、その目的とするところは、複数の遊技機用の筐体を並べて載置する場合の省スペース化を図ることにある。
【課題を解決するための手段】
【０００６】
本発明の遊技機用の筐体は、遊技を行う遊技部を収容する遊技機用の筐体において、前方が開放され、前記遊技部を収容可能な箱体を備え、二つの前記箱体を前後方向に並べた場合に、前側の前記箱体の後部が後側の前記箱体の前部から後側の前記箱体の内部に内挿可能に構成されていることを特徴とする。
【０００７】
このように構成された本発明の遊技機用の筐体によれば、複数の筐体を前後方向に重ねることができるので、単に複数の筐体を前後方向に並べる場合に比べて、複数の筐体の前後方向の寸法および占有スペースが小さくなる。
【０００８】
したがって、本発明の遊技機用の筐体によれば、複数の筐体を並べて載置する場合に省スペース化が可能となる。
この場合、箱体の後部の外周形状が、箱体の前部の内周形状に対応するよう構成されていることが好ましい。このように構成すれば、二つの箱体を前後方向に並べた場合に、前側の箱体の後部を後側の箱体の前部から後側の箱体の内部に内挿する際に、前側の箱体と後側の箱体との間のがたつきを抑制することができる。
【０００９】
また、載置時に後方への転倒を防止する転倒防止部を備えることが好ましい。このように構成すれば、組み立て時や設置時に筐体遊技機の転倒を防止することができる。
【図面の簡単な説明】
【００１０】
【図１】遊技機用の筐体の斜視図である。
【図２】（ａ）は遊技機用の筐体の側面図、（ｂ）はＡ部拡大図である。
【図３】遊技機用の筐体の側断面図である。
【図４】遊技機用の筐体の斜視図である。
【図５】遊技機用の筐体の側断面図である。
【図６】（ａ）は別実施形態の転倒防止部の説明図、（ｂ）は別実施形態の転倒防止部の説明図である。
【発明を実施するための形態】
【００１１】
以下に本発明の実施形態を図面とともに説明する。
以下の説明においては、遊技機用の筐体１を構成する各部の相対的な位置関係を簡潔に説明するために、図中に併記した上下左右前後の各方向を利用して説明を行う。
【００１２】
［１．遊技機用の筐体１の構成］
図１〜３に示す遊技機用の筐体１は、前方が開放された箱状に構成され、回転リール部などの遊技を行う遊技部（図示省略）を収容可能となっている。
【００１３】
より具体的には、筐体１は、前方が開放され、遊技部を収容可能な箱体１０と、載置時に後方への転倒を防止する転倒防止部２０と、を備える。なお、図１および図３では、転倒防止部２０の図示を省略する。
【００１４】
［１．１．箱体１０の構成］
箱体１０は、正面から見て、下側の底板１１、上側の天板１２、左側の側板１３、右側の側板１４を四辺枠状に連結するとともに、背面側に裏板１５を取り付けた構造になっている。
【００１５】
箱体１０の前端面１０１は、左右方向から見て、下端部から上端部に行くに従って後方に向かうよう傾斜している。箱体１０の後端面１０２は、左右方向から見て、上端部から下方に行くに従って後方に向かうよう傾斜し、このうちの下端部については、上方に行くに従って後方に向かうよう傾斜している。
【００１６】
箱体１０の後部１０３の外周寸法は、箱体１０の前部１０４の外周寸法よりも小さくなっており、前部１０４の外周面１０５と後部１０３の外周面１０６との間に段差面１０７が形成されている。段差面１０７は、左右方向から見て、上方に行くに従って後方に向かうよう傾斜している。段差面１０７は前端面１０１と平行である。
【００１７】
箱体１０の後部１０３の内周寸法は、箱体１０の前部１０４の内周寸法よりも小さくなっており、前部１０４の内周面１０８と後部１０３の内周面１０９との間に段差面１１０が形成されている。段差面１１０は、左右方向から見て、上方に行くに従って後方に向かうよう傾斜している。段差面１１０は前端面１０１と平行である。
【００１８】
箱体１０の後部１０３の外周形状は、図５に例示するように、箱体１０の前部１０４の内周形状に対応している。二つの箱体１０を前後方向に並べた場合に、前側の箱体１０の後端面１０２が後側の箱体１０の段差面１１０に当接するまで、前側の箱体１０の後部１０３を後側の箱体１０の前方から後側の箱体１０の前部１０４内部に内挿可能であり、図４に例示するように、複数の筐体１を前後方向に重ねることができる。
【００１９】
［１．２．転倒防止部２０の構成］
転倒防止部２０は、図２（ａ）に示すように、棒状であり、その長手方向における一方の端部２１の下端面２１ａが箱体１０の前部１０４の下面と同一水平面上に位置する状態で、反対側の端部２２において箱体１０の後部１０３の下面側に着脱可能に取り付けられている。具体的には、図２（ｂ）に示すように、転倒防止部２０の端部２２の先端には雄ネジ部２２ａが形成されており、箱体１０の後部１０３の下面側のほぼ中央には、雌ネジ穴１１１が形成されている。そして、転倒防止部２０側の雄ネジ部２２ａを、箱体１０側の雌ネジ穴１１１に螺合させることにより、転倒防止部２０が箱体１０の後部１０３の下面側に着脱可能に取り付けられている。
【００２０】
［２．効果］
（１）このように本実施形態の遊技機用の筐体１によれば、二つの箱体１０を前後方向に並べた場合に、前側の箱体１０の後部１０３を後側の箱体１０の前方から後側の箱体１０の前部１０４内部に内挿可能となっており、図４に例示するように、複数の筐体１を前後方向に重ねることができるので、単に複数の筐体を前後方向に並べる場合に比べて、複数の筐体の前後方向の寸法および占有スペースが小さくなる。したがって、複数の筐体を並べて載置する場合に省スペース化が可能となる。
【００２１】
（２）また、本実施形態の遊技機用の筐体１によれば、箱体１０の後部１０３の外周形状が、箱体１０の前部１０４の内周形状に対応するよう構成されているので、二つの箱体１０を前後方向に並べた場合において、前側の箱体１０の後部を後側の箱体１０の前部から後側の箱体１０の内部に内挿する際に、前側の箱体１０と後側の箱体１０との間のがたつきを抑制することができる。
【００２２】
（３）また、本実施形態の遊技機用の筐体１によれば、載置時に後方への転倒を防止する転倒防止部２０を備えるので、組み立て時や設置時に筐体１の転倒を防止することができる。
【００２３】
［３．他の実施形態］
以上、本発明の一実施形態について説明したが、本発明は上記実施形態に限定されるものではなく、以下のような様々な態様にて実施することが可能である。
【００２４】
（１）上記実施形態では、箱体１０が、底板１１、天板１２、側板１３、側板１４を四辺枠状に連結するとともに、背面側に裏板１５を取り付けた構造になっているが、これには限られない。例えば、箱体１０の前部１０４と後部１０３とで、底板１１、天板１２、側板１３および側板１４をそれぞれ分割し、前部１０４と後部１０３とを別々に組み立ててから一体化するようにしてもよい。
【００２５】
（２）上記実施形態では、転倒防止部２０が箱体１０の後部１０３の下面側に着脱可能に取り付けられているが、これには限られない。例えば、二つの箱体１０を前後方向に並べた場合において、前側の箱体１０の後部１０３を後側の箱体１０の前方から箱体１０の前部１０４内部に内挿させた際に、前側の筐体１の転倒防止部２０が後側の筐体１に当接しないように、図６（ａ）に例示するように、箱体１０の前部１０４の前端側に切り欠き状の受入部１１２を設けることで、転倒防止部２０を箱体１０の後部１０３に対して着脱不能に固定してもよい。
【００２６】
（３）また、転倒防止部２０を可倒式に構成してもよい。具体的には、図６（ｂ）に例示するように、転倒防止部２０の端部２１を、箱体１０の後部１０３に対して、左右方向に沿う回転軸２３を中心に回動可能に取り付け、載置時に後方への転倒を防止する位置と箱体１０の後部１０３に設けられた溝部１１３（箱体１０の内部）に収容される位置との間でその姿勢を変更可能に構成してもよい。
【００２７】
（４）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００２８】
（５）上述した遊技機用の筐体の他、当該遊技機用の筐体を構成要素とする遊技機など、種々の形態で本発明を実現することもできる。
【符号の説明】
【００２９】
１…筐体、１０…箱体、１１…底板、１２…天板、１３…側板、１４…側板、１５…裏板、１０１…前端面、１０２…後端面、１０３…後部、１０４…前部、１０５…外周面、１０６…外周面、１０７…段差面、１０８…内周面、１０９…内周面、１１０…段差面、１１１…雌ネジ穴、１１２…受入部、１１３…溝部、２０…転倒防止部、２１…端部、２１ａ…下端面、２２…端部、２２ａ…雄ネジ部、２３…回転軸。
【図１】
2017023259.tif 000003
【図２】
2017023259.tif 000004
【図３】
2017023259.tif 000005
【図４】
2017023259.tif 000006
【図５】
2017023259.tif 000007
【図６】
2017023259.tif 000008